(57)【要約】【課題】  パイプ椅子等のスタッキング可能な簡易型の椅子において、背凭れ部が汚れた場合に簡単に取り外して洗濯することができ、また他のものに交換することができ、更に背中の良好な支持を保ちながら、通気性に優れ、しかも軽量化を図ることができる椅子を提供する。【解決手段】  座部３の後部に立ち上げた左右一対の背凭れ杆１３に、通気性基材１８，１９で袋状に形成した背凭れシート体１７を着脱可能に外装して背凭れ部４とした椅子を構成した。【選択図】        図１
2005103047.tif 000002
【特許請求の範囲】
【請求項１】
座部の後部に立ち上げた左右一対の背凭れ杆に、通気性基材で袋状に形成した背凭れシート体を着脱可能に外装して背凭れ部としたことを特徴とする椅子。
【請求項２】
前記背凭れシート体は、上縁を閉じ且つ下部の両側部に開放部を設けた袋状であり、左右一対の前記背凭れ杆は上部が自由端となっており、両背凭れ杆の上端部に前記背凭れシート体を両開放部から外装し、両背凭れ杆の弾性力を利用して該背凭れシート体を左右方向に張設するとともに、該背凭れシート体の下縁に係止した係止具を座部の後方座受杆に張力を作用させて着脱可能に係止し、該背凭れシート体を上下方向に張設してなる請求項１記載の椅子。
【請求項３】
前記背凭れ杆の背面側で、両背凭れ杆の下部に上方へ湾曲したアーチ杆の下端をそれぞれ固定するとともに、背凭れ杆とアーチ杆との間に空間を設けてなる請求項１又は２記載の椅子。
【請求項４】
前記両背凭れ杆に背凭れシート体を外装した状態で、該背凭れシート体を形成する通気性基材が前後に間隔を設けて張設されている請求項１〜３何れかに記載の椅子。
【発明の詳細な説明】
【技術分野】
【０００１】
本発明は、椅子に係わり、更に詳しくは背凭れシートを取り外し可能な椅子に関するものである。
【背景技術】
【０００２】
従来から、金属パイプ又は金属棒を屈曲、溶接して、４本の脚杆からなる脚部と、座支持部及び背支持部を形成したフレーム体に座板と背凭れ板を取付けて構成し、しかもスタッキング可能となした椅子は各種提供されている。
【０００３】
ここで、座板と背凭れ板は、着座者を確実に支持するために高い強度が要求されるので、従来は合板若しくは金属板の表面側に発泡体からなるクッション体を積層し、その表面をレザーやクロスで覆った構造のものを用いていた。しかし、このような構造の座板や背凭れ板は重量が重く、嵩張るといった欠点や、更には通気性が悪いので背中が蒸れるといった問題があった。さらに、座板や背凭れ板が汚れても容易に取り外して洗濯したり、交換したりすることはできなかった。
【０００４】
この改善策として、特許文献１では、座板と背凭れ板を１枚の合成樹脂製の基板を中央部で屈曲して座部と背凭れ部を形成し、それをフレーム体にリベット等で取付けて、軽量化を図り、嵩高さを軽減していた。しかし、この構造でも背中が蒸れるといった点は改善されてないのである。
【０００５】
また、特許文献２では、フレーム体の左右後部に一対の背支柱を立上げ、両背支柱に背凭れ板の両側部に形成した下向き筒部を嵌合する構造の椅子も提供されているが、背凭れ板を着脱可能としたものではなく、また背凭れ板は剛性構造の背凭れの前面にクッションを設けたものであり、通気性の点でも問題を残している。
【特許文献１】特開２００１−３７５７４号公報
【特許文献２】特開２００２−１３６３８０号公報
【発明の開示】
【発明が解決しようとする課題】
【０００６】
前述の状況に鑑み、本発明が解決しようとするところは、パイプ椅子等のスタッキング可能な簡易型の椅子において、背凭れ部が汚れた場合に簡単に取り外して洗濯することができ、また他のものに交換することができ、更に背中の良好な支持を保ちながら、通気性に優れ、しかも軽量化を図ることができる椅子を提供する点にある。
【課題を解決するための手段】
【０００７】
本発明は、前述の課題解決のために、座部の後部に立ち上げた左右一対の背凭れ杆に、通気性基材で袋状に形成した背凭れシート体を着脱可能に外装して背凭れ部とした椅子を構成した（請求項１）。
【０００８】
ここで、前記背凭れシート体は、上縁を閉じ且つ下部の両側部に開放部を設けた袋状であり、左右一対の前記背凭れ杆は上部が自由端となっており、両背凭れ杆の上端部に前記背凭れシート体を両開放部から外装し、両背凭れ杆の弾性力を利用して該背凭れシート体を左右方向に張設するとともに、該背凭れシート体の下縁に係止した係止具を座部の後方座受杆に張力を作用させて着脱可能に係止し、該背凭れシート体を上下方向に張設してなることが好ましい（請求項２）。
【０００９】
また、前記背凭れ杆の背面側で、両背凭れ杆の下部に上方へ湾曲したアーチ杆の下端をそれぞれ固定するとともに、背凭れ杆とアーチ杆との間に空間を設けてなることも好ましい（請求項３）。
【００１０】
更に、前記両背凭れ杆に背凭れシート体を外装した状態で、該背凭れシート体を形成する通気性基材が前後に間隔を設けて張設されていることがより好ましい（請求項４）。
【発明の効果】
【００１１】
以上にしてなる請求項１に係る発明の椅子は、背凭れシート体を通気性基材で袋状に形成し、それを左右一対の背凭れ杆に外装したので、通気性に非常に優れ、背中が蒸れることがなく、また背凭れシート体は着脱可能であるので、取り外して洗濯したり、また他の色や材質のものに交換することが容易である。
【００１２】
請求項２によれば、背凭れシート体を両背凭れ杆に外装する作業が簡単であり、しかも背凭れシート体を左右方向及び上下方向に張力を持たせて保持できるので、クッション性にも優れたものとなる。
【００１３】
請求項３によれば、前記アーチ杆に上着等の衣服を掛けたり、カバンの吊り紐を掛けたりすることができ、また背凭れ杆とアーチ杆との間の空間に手提げカバンやファイル等の比較的偏平な物品を収納することができる。また、アーチ杆の下端を両背凭れ杆の下部に固定したので、両背凭れ杆の左右方向の弾力性を損なうことがなく、弾性力を増強することができ、そのうえ両背凭れ杆をアーチ杆で連結したことによる構造的な強度を高めることができる。
【００１４】
請求項４によれば、前記背凭れシート体を形成する前後の通気性基材のうち、前面側の通気性基材が第１クッション体となり、後面側の通気性基材が第２クッション体となり、しかも袋状であるので前後の通気性基材は互に張力を及ぼし合って釣り合い状態で背中を支持するのである。つまり、先ず軽く背凭れシート体に凭れ掛かると、第１クッション体が後方へ撓みながら第２クッション体に張力を加えるので柔らかく背中を支持することができ、更に強く凭れ掛かると第１クッション体と第２クッション体が重なって両方とも後方へ撓み略２倍の抵抗力が働くのでしっかりと背中を支持することができる。
【発明を実施するための最良の形態】
【００１５】
次に、添付図面に基づいて更に本発明を詳細に説明する。図１〜図５は本発明に係る椅子を示し、図６は椅子の背凭れ部の分解斜視図、図７は椅子の縦断面図を示し、図中符号１はフレーム体、２は脚部、３は座部、４は背凭れ部をそれぞれ示している。
【００１６】
前記フレーム体１は、主にスチールパイプを屈曲、溶接して構成している。このフレーム体１は、側面視倒Ｌ字形の左右一対の前支持部材５，５と、該前支持部材５，５の後端に溶接して立起させた左右一対の後支持部材６，６と、両前支持部材５，５の間に渡設した前後の座受杆７，８と、両後支持部材６，６の中間部に渡設したアーチ杆９とから構成されている。
【００１７】
前記前支持部材５は、略垂直な前脚杆１０の上端部から後方へ延びた座支持杆１１を屈曲形成したものである。前記後支持部材６は、略垂直な後脚杆１２から上方へ背凭れ杆１３を延設したものであり、該背凭れ杆１３は上方へなるに従って後方へ湾曲するとともに、若干外側に湾曲した形状となっている。そして、前記前支持部材５の座支持杆１１の後端を前記後支持部材６の中間部、即ち後脚杆１２と背凭れ杆１３の境界部に溶接し、それらを左右に間隔を置いて配置し、両側の前記座支持杆１１，１１間の前後部に前方座受杆７と後方座受杆８を溶接して渡設している。更に、両後支持部材６，６の背凭れ杆１３，１３の下部に上方へ湾曲したアーチ杆９の下端をそれぞれ溶接して固定するとともに、背凭れ杆１３とアーチ杆９との間に空間を設けている。
【００１８】
ここで、左右一対の前記背凭れ杆１３，１３は、上部が自由端となっており、左右方向に弾力性を有している。また、前記アーチ杆９は、背凭れ杆１３，１３の下部に固定されているので、該背凭れ杆１３，１３の左右方向への弾性変形時にもアーチ杆９の変形量は少なく、しかも該アーチ杆９は上方へ湾曲した形状であるので、該背凭れ杆１３，１３の左右方向への弾力性を阻害することはなく、逆に背凭れ杆１３，１３の弾性力の増強に一役を買っているのである。そして、前記アーチ杆９には、上着等の衣服を掛けたり、カバンの吊り紐を掛けたりすることができ、また背凭れ杆１３，１３とアーチ杆９との間の空間に手提げカバンやファイル等の比較的偏平な物品を収納することができる。また、前記アーチ杆９は、椅子を移動させたり、持ち運ぶ際の把手として利用することもできる。
【００１９】
そして、前記座部３は、前記前方座受杆７と後方座受杆８にスペーサ１４,…介して座板１５をネジ止めして構成している。この座板１５は通常の構造のものであり、合板の表面にクッション体を積層し、その表面と周囲を、クロスの周囲を弾性紐で絞った外装シートで着脱可能に覆ったものである。ここで、前記前方座受杆７と後方座受杆８及び前後座受杆７，８で囲まれる四角形の凹部に下方へ一部突出するようにポリエチレン製の発泡体１６を両面粘着材等で取付けている。この発泡体１６は、椅子をスタッキングした場合に、下方の椅子の座板１５に載置され、前記座支持杆１１若しくは座受杆７，８が下方の椅子の座板１５に直接接触して座板１５を傷付けたり、凹みを生じさせることを防止するために設けたものである。
【００２０】
また、前記背凭れ部４は、前記座部３の後部に立ち上げた左右一対の背凭れ杆１３，１３に、通気性基材で袋状に形成した背凭れシート体１７を着脱可能に外装して構成している。ここで、通気性基材としては、引張り強度の高い素材で形成する必要があり、本実施形態ではポリアミド繊維からなるネット、若しくはポリエステル繊維からなるクロスを用いている。前記背凭れシート体１７は、略同一形状の通気性基材１８，１９の周囲を縫い合わせて袋状に形成したものである。
【００２１】
更に詳しくは、前記背凭れシート体１７は、表裏の通気性基材１８，１９の上縁を閉じ且つ下部の両側部に開放部２０，２０を設けるとともに、下縁の中央部に中央開放部２１を設けた袋状の形状である。そして、両背凭れ杆１３，１３の上端部に前記背凭れシート体１７を両開放部２０，２０から外装し、両背凭れ杆１３，１３の弾性力を利用して該背凭れシート体１７を左右方向に張設するとともに、該背凭れシート体１７の下縁に係止した係止具２２を座部３の後方座受杆８に張力を作用させて着脱可能に係止し、該背凭れシート体１７を上下方向に張設する。
【００２２】
前記係止具２２は、金属棒を屈曲成形したものであり、中央部に把手部２３を形成し、その両側に係止部２４，２４を形成し、該係止部２４，２４の端部に前記後方座受杆８に係止するフック部２５，２５を形成したものである。この係止具２２を前記背凭れシート体１７の一方の開放部２０から挿入し、前記把手部２３を中央開放部２１に臨ませるとともに、両端のフック部２５，２５を両開放部２０，２０に露出させた状態で、前記把手部２３を強く引いて前記背凭れシート体１７にと強い張力を与えながら前記フック部２５，２５を前記後方座受杆８に係止するのである。尚、前記背凭れシート体１７を取り外す際には、前記把手部２３を引いて片方のフック部２５から順に前記後方座受杆８から外した後、上方へ引いて両背凭れ杆１３，１３から引き抜けば良い。
【００２３】
ここで、前記フック部２５，２５を係止する前記後方座受杆８の端部に対応する前記発泡体１６の角部には切欠部２６，２６を形成し、該フック部２５，２５を収容できるようにしている。尚、前記係止具２２をばね鋼で形成し、該係止具２２の材料の持つ弾性力若しくは一部に形成したコイルばね等のばね部による弾性力によって前記背凭れシート体１７を常時上下方向に張力を加えておくことも好ましい。
【００２４】
そして、このように構成した背凭れ部４は、前記背凭れシート体１７を形成する前後の通気性基材１８，１９のうち、前面側の通気性基材１８が第１クッション体となり、後面側の通気性基材１９が第２クッション体となる。ここで、前記背凭れシート体１７は、袋状であるので前後の通気性基材１８，１９は互に張力を及ぼし合って釣り合い状態で背中を支持するのである。つまり、先ず軽く背凭れシート体１７に凭れ掛かると、第１クッション体（通気性基材１８）が後方へ撓みながら第２クッション体（通気性基材１９）に張力を加えるので柔らかく背中を支持することができ、更に強く凭れ掛かると第１クッション体と第２クッション体が重なって両方とも後方へ撓み略２倍の抵抗力が働くのでしっかりと背中を支持することができるのである。このように、本発明の椅子の背凭れ部４は、左右上下に張力を加えて張設した袋状の前記背凭れシート体１７を用いて構成したので、前後方向に二段階の弾性力で背中を支持することができるので、背中の蒸れを抑制する上に、これまでにない良好な座り心地を実現することができる。
【００２５】
尚、本実施形態では、前記背凭れ杆１３，１３の上端を自由端としたが、前記背凭れ杆１３，１３の上端を連結杆で連結した場合には、前記背凭れシート体１７の下縁を完全に開放し、表裏の通気性基材をそれぞれ係止具によって座部の適所に張力を保ちながら引っ掛ける構造を採用すれば良い。しかし、前記背凭れ杆１３，１３の上部にそれ自体で左右方向の弾力性を出せないので、後面側の通気性基材を中央部側へ常時強い力で引き付ける機構を付加する等の工夫が必要である。また、前記連結杆は、背凭れシート体１７の後方への撓みを許容するため後方へ若干湾曲した形状にしなければならない。
【図面の簡単な説明】
【００２６】
【図１】本発明に係る椅子の全体斜視図である。
【図２】同じく椅子の側面図である。
【図３】同じく椅子の平面図である。
【図４】同じく椅子の正面図である。
【図５】同じく椅子の底面図である。
【図６】椅子の背凭れ部の分解斜視図である。
【図７】椅子の縦断面図である。
【符号の説明】
【００２７】
１  フレーム体          ２  脚部
３  座部                ４  背凭れ部
５  前支持部材          ６  後支持部材
７  前方座受杆          ８  後方座受杆
９  アーチ杆            １０  前脚杆
１１  座支持杆          １２  後脚杆
１３  背凭れ杆          １４  スペーサ
１５  座板              １６  発泡体
１７  背凭れシート体    １８  通気性基材
１９  通気性基材        ２０  開放部
２１  中央開放部        ２２  係止具
２３  把手部            ２４  係止部
２５  フック部          ２６  切欠部
【図１】
2005103047.tif 000003
【図２】
2005103047.tif 000004
【図３】
2005103047.tif 000005
【図４】
2005103047.tif 000006
【図５】
2005103047.tif 000007
【図６】
2005103047.tif 000008
【図７】
2005103047.tif 000009